(57)【要約】【課題】  デジタルカメラに最適な高い解像力を維持しやすく、至近距離まで十分に性能が維持可能な望遠レンズとそれを備えたレンズ交換式のデジタルカメラに最適な望遠レンズ装置。【解決手段】  物体側から順に、正屈折力の第１レンズ群Ｇ１と、第２レンズ群Ｇ２と、正屈折力の第３レンズ群Ｇ３と、負屈折力の第４レンズ群Ｇ４を有し、明るさ絞りＳが第２レンズ群Ｇ２と第４レンズ群Ｇ４の間に配置され、第２レンズ群Ｇ２が正レンズと負レンズを有し、無限遠物点から至近距離物点へのフォーカシングに際し、各レンズ群同士の間隔が変化するように、第２レンズ群Ｇ２を光軸方向に移動させ、第３レンズ群Ｇ３を物体側に移動させ、明るさ絞りＳは第３レンズ群Ｇ３と一体に移動する望遠レンズ。【選択図】        図１
2005283719.tif 000002
【特許請求の範囲】
【請求項１】
物体側から順に、正の屈折力を有する第１レンズ群と、第２レンズ群と、正の屈折力を有する第３レンズ群と、負の屈折力を有する第４レンズ群を有し、
明るさ絞りが前記第２レンズ群と前記第４レンズ群の間に配置され、
前記第２レンズ群が、正レンズと負レンズを有し、
無限遠物点から至近距離物点へのフォーカシングに際し、各レンズ群同士の間隔が変化するように、前記第２レンズ群を光軸方向に移動させ、前記第３レンズ群を物体側に移動させ、前記明るさ絞りは前記第３レンズ群と一体に移動することを特徴する望遠レンズ。
【請求項２】
前記第１レンズ群と前記第４レンズ群を前記フォーカシングに際し固定としたことを特徴とする請求項１記載の望遠レンズ。
【請求項３】
物体側から順に、正の屈折力を有する第１レンズ群と、第２レンズ群と、正の屈折力を有する第３レンズ群と、負の屈折力を有する第４レンズ群を有し、
明るさ絞りが前記第２レンズ群と前記第４レンズ群の間に配置され、
無限遠物点から至近距離物点へのフォーカシングに際し、各レンズ群同士の間隔が変化するように、前記第２レンズ群を光軸方向に移動させ、前記第３レンズ群を物体側に移動させ、以下の条件式を満足することを特徴とする望遠レンズ。
０＜｜ΔＧ２／ΔＧ３｜＜０．３                              ・・・（１）
ただし、ΔＧ２は無限遠合焦時から撮影倍率−０．１５倍合焦時の間での第２レンズ群の        最大移動量、
ΔＧ３は無限遠合焦時から撮影倍率−０．１５倍合焦時の間での第３レンズ群の        最大移動量、
である。
【請求項４】
条件式（１）に換えて以下の条件式（１）’を満足することを特徴とする請求項３記載の望遠レンズ。
０．０４＜｜ΔＧ２／ΔＧ３｜＜０．２                        ・・・（１）’    
【請求項５】
以下の条件式を満足することを特徴とする請求項１記載の望遠レンズ。
０＜｜ΔＧ２／ΔＧ３｜＜０．３                              ・・・（１）
ただし、ΔＧ２は無限遠合焦時から撮影倍率−０．１５倍合焦時の間での第２レンズ群の        最大移動量、
ΔＧ３は無限遠合焦時から撮影倍率−０．１５倍合焦時の間での第３レンズ群の        最大移動量、
である。
【請求項６】
下記条件式を満足することを特徴とする請求項１から５の何れか１項記載の望遠レンズ。
−０. １＜ｆa ／ｆ2 ＜０．４                                  ・・・（２）
ただし、ｆa は無限遠合焦時の全系の焦点距離、
ｆ2 は第２レンズ群の焦点距離、
である。
【請求項７】
条件式（２）に換えて以下の条件式（２）’を満足することを特徴とする請求項６記載の望遠レンズ。
０＜ｆa ／ｆ2 ＜０．３                                        ・・・（２）’    
【請求項８】
前記第２レンズ群は、物体側から順に正レンズＬ２１と負レンズＬ２２からなる接合レンズで構成されることを特徴する請求項１から７の何れか１項記載の望遠レンズ。
【請求項９】
前記第２レンズ群は、無限遠物点から至近距離物点へのフォーカシングに際し光軸上を像側に移動させることを特徴とする請求項１から８の何れか１項記載の望遠レンズ。
【請求項１０】
前記第１レンズ群は、物体側から順に、正レンズ成分Ｅ１１、正レンズ成分Ｅ１２、負レンズ成分Ｅ１３、正レンズ成分Ｅ１４からなり、光軸上において各レンズ成分間に空気間隔が配置されていることを特徴とする請求項１から９の何れか１項記載の望遠レンズ。
【請求項１１】
前記第１レンズ群は、物体側から順に、正レンズＬ１１、正レンズＬ１２、負レンズＬ１３、正レンズＬ１４からなり、各レンズは単レンズからなり、光軸上において各レンズ間に空気間隔が配置されていることを特徴とする請求項１０記載の望遠レンズ。
【請求項１２】
前記第４レンズ群は、物体側から順に、像側に凹面を向けた負レンズＬ４１と物体側に凸面を向けた正レンズＬ４２からなり、前記負レンズＬ４１と前記正レンズＬ４２は単レンズからなり、光軸上において前記負レンズＬ４１と前記正レンズＬ４２の間に空気間隔を挟んで配置され、以下の条件式を満足することを特徴とする請求項１から１１の何れか１項記載の望遠レンズ。
０．２＜Ｒ41r ／Ｒ42f ＜０．８                                ・・・（３）
ただし、Ｒ41r は負レンズＬ４１の像側の面の近軸曲率半径、
Ｒ42f は正レンズＬ４２の物体側の面の近軸曲率半径、
である。
【請求項１３】
前記第３レンズ群は、物体側より順に、物体側に凸面を持つ正レンズＬ３１と像側に凹面を持つ負レンズＬ３２との接合レンズと、正レンズＬ３３から構成され、光軸上において前記接合レンズの負レンズＬ３２と前記正レンズＬ３３の間に空気間隔を挟み、以下の条件式を満足することを特徴とする請求項１から１２の何れか１項記載の望遠レンズ。
０．５＜Ｒ32r ／Ｒ31f ＜１．５                                ・・・（４）
ただし、Ｒ32r は負レンズＬ３２の像側の面の近軸曲率半径、
Ｒ31f は正レンズＬ３１の物体側の面の近軸曲率半径、
である。
【請求項１４】
前記第１レンズ群が下記の条件式（５）を満足する複数の正レンズを有すること特徴とする請求項１から１３の何れか１項記載の望遠レンズ。
νd ＞８０                                                    ・・・（５）
ただし、νd は第１レンズ群中の任意の正レンズのアッベ数である。
【請求項１５】
前記条件式（５）を満足する正レンズの中、少なくとも１つの正レンズが以下の条件式（５−１）を満足することを特徴とする請求項１４記載の望遠レンズ。
８５＞νd ＞８０                                          ・・・（５−１）
【請求項１６】
前記第１レンズ群における最も物体側のレンズが、以下の条件式（５−２）を満足するレンズであることを特徴とする請求項１４又は１５記載の望遠レンズ。
νd11 ＜８０                                              ・・・（５−２）
ただし、νd11 は第１レンズ群の最も物体側のレンズのアッベ数である。
【請求項１７】
下記の条件式を満足することを特徴とする請求項１から１６の何れか１項記載の望遠レンズ。
−０．５＞ｆ4 ／ｆa ＞−１．7                               ・・・（６）
ただし、ｆa は無限遠合焦時の全系の焦点距離、
ｆ4 は第４レンズ群の焦点距離、
である。
【請求項１８】
以下の条件を満足することを特徴とする請求項１から１７の何れか１項記載の望遠レンズ。
２°＜ω＜８°                                                ・・・（７）
ただし、ωは望遠レンズの撮像半画角である。
【請求項１９】
請求項１から１８の何れか１項記載の望遠レンズを有し、前記望遠レンズをカメラ本体に着脱可能とするマウント部を備えていることを特徴とする望遠レンズ装置。
【発明の詳細な説明】
【技術分野】
【０００１】
本発明は、望遠レンズ及び望遠レンズ装置に関するものであり、特に、デジタルカメラに最適なインナーフォーカス式の望遠レンズと、レンズ交換式のデジタルカメラに最適な望遠レンズ装置に関するものである。
【背景技術】
【０００２】
従来、銀塩写真用の一眼レフレックスカメラに用いられる交換レンズとして、インナーフォーカス式の望遠レンズが多く提案されている。そして、光学系の全長を一定に保ちながら、内部のレンズのみを移動させて、無限遠から至近距離までのフォーカスを行うこの種の望遠レンズとしては、従来から様々な構成のものが提案されている。
【０００３】
例えば、特許文献１及び特許文献２の従来の望遠レンズは、物体側から順に、正の屈折力を有する第１レンズ群と、負の屈折力を有する第２レンズ群と、正の屈折力を有する第３レンズ群とを有して構成されている。そして、この望遠レンズは、第２レンズ群あるいは第３レンズ群を移動させることでフォーカスするようになされている。また、正の屈折力を有する第１レンズ群は、２枚の正レンズと１枚の負レンズとで構成されている。
【０００４】
しかし、これらの特許文献１又は特許文献２に記載の望遠レンズは、何れも軸上色収差を十分に補正しながら、至近距離での性能を維持することが困難であり、性能の維持可能な限界が倍率で０．１倍程度である。
【０００５】
また、特許文献３には、物体側から順に、正の屈折力を有する第１レンズ群と、負の屈折力を有する第２レンズ群と、正の屈折力を有する第３レンズ群と、負の屈折力を有する第４レンズ群とで構成されている望遠レンズが開示されている。この望遠レンズは、負の屈折力を有する第２レンズ群、及び、負の屈折力を有する第４レンズ群を介してフォーカスするように構成されており、より至近距離での性能の維持が可能となるように改良されている。
【０００６】
しかし、この望遠レンズは、まだ近距離での球面収差の変動が大きい。また、光学系全体にディストーションの補正が不十分である。
【０００７】
また、この他に、特許文献４、特許文献５、特許文献６、特許文献７のものがあり、何れも正の屈折力を有する第１レンズ群と、負の屈折力を有する第２レンズ群と、正の屈折力を有する第３レンズ群とからなり、第２レンズ群を動かして焦点合わせを行っている光学系が開示されている。しかしながら、撮影倍率や最至近距離、撮像面の大きさに対する口径、性能面等で、特に以下に説明するデジタルカメラ用としては十分でないところがある。
【０００８】
近年のデジタルカメラの発展により、レンズ交換が可能なデジタルカメラが商品化されてきている。このようなデジタルカメラでは、交換レンズとして銀塩用の光学系をそのまま用いることが多い。
【０００９】
しかし、撮像素子の技術改良により、より画素数の多い撮像素子を用いたデジタルカメラが登場している。これらの高精細な撮像素子に対応するためには、光学系にもより高解像度が求められるようになってきている。このため、このような高精細な撮像素子を用いたデジタルカメラでは、従来の銀塩用一眼レフレックスカメラに用いられてきた光学系を望遠レンズに用いるのでは、十分な解像力を得ることができなくなる。
【００１０】
また、デジタルカメラを使用する新しいユーザーの登場によって、求められる性能への要求もより一層高くなってきている。例えば、デイストーションの低減や色収差の低減、さらには、より至近距離での性能の維持等が求められている。この点においても、従来の一眼レフレックスカメラに用いられてきた光学系を望遠レンズに用いるのでは不十分である。
【特許文献１】特開昭５５−１４７６０６号公報
【特許文献２】特開２０００−８９１０３号公報
【特許文献３】特開昭６１−２１５５１３号公報
【特許文献４】特開平９−１５９９１号公報
【特許文献５】特開２０００−２５８６８５号公報
【特許文献６】特許第３４４５５５４号公報
【特許文献７】特開平６−２０１９８８号公報
【発明の開示】
【発明が解決しようとする課題】
【００１１】
本発明は従来技術のこのような問題点に鑑みてなされたものであり、その目的は、デジタルカメラに最適な高い解像力を維持しやすく、至近距離まで十分に性能が維持可能な望遠レンズを提供することである。また、レンズ交換式のデジタルカメラに最適な望遠レンズ装置を提供することを目的とする。さらには、大口径比若しくはインナーフォーカス式の望遠レンズ、望遠レンズ装置を提供することを目的とする。
【課題を解決するための手段】
【００１２】
上記目的を達成する本発明の第１の望遠レンズは、物体側から順に、正の屈折力を有する第１レンズ群と、第２レンズ群と、正の屈折力を有する第３レンズ群と、負の屈折力を有する第４レンズ群を有し、
明るさ絞りが前記第２レンズ群と前記第４レンズ群の間に配置され、
前記第２レンズ群が、正レンズと負レンズを有し、
無限遠物点から至近距離物点へのフォーカシングに際し、各レンズ群同士の間隔が変化するように、前記第２レンズ群を光軸方向に移動させ、前記第３レンズ群を物体側に移動させ、前記明るさ絞りは前記第３レンズ群と一体に移動することを特徴するものである。
【００１３】
以下に、上記本発明の第１の望遠レンズの構成をとった理由とその作用効果を説明する。
【００１４】
物体側から順に、正の屈折力を有する第１レンズ群と、第２レンズ群と、正の屈折力を有する第３レンズ群と、負の屈折力を有する第４レンズ群の構成の望遠レンズで、
○明るさ絞りを第２レンズ群内又は第２レンズ群より物体側に配置すると、特に第３レンズ群と第４レンズ群の径が大きくなる。そのため、無限遠から近距離まで特にコマ収差を安定して小さくするのが難しくなる。また、射出光束が大きくなると、例えば、一眼レフレックスカメラのカメラボディ内で撮像素子とファインダー光学系の光路切り替え機構の構成が難しくなる。
【００１５】
○明るさ絞りを第４レンズ群に配置すると、前玉径が大きくなりやすくなる。また、撮像素子への入射角が大きくなりやすくなる。そのため、撮像素子がＣＣＤ等の電子撮像素子の場合、シェーディング等の問題への対応が難しくなる。
【００１６】
○さらに、第２レンズ群に正レンズと負レンズを配置し、無限遠物点から至近距離物点へのフォーカシングに際し、第２レンズ群を光軸方向に移動させ、第３レンズ群を物体側に移動させることにより、無限遠物点から至近距離物点まで安定した結像性能を確保しやすくなる。特に第２レンズ群の構成は、コマ収差や倍率の色収差の変動を小さくする効果がある。また、この場合、第２レンズ群と第３レンズ群を一体のフォーカスカムで制御するように配置することができるため、構造を単純にして鏡枠の径方向の大きさを抑えることが可能となる。望遠レンズを大口径にした場合、元々レンズの径が大きく、さらには鏡枠部材も強度を考慮するため、望遠レンズ装置全体が重くなる。したがって、望遠レンズの径が小さくなれば、望遠レンズ装置の重量の軽減に効果がある。
【００１７】
○明るさ絞りは第３レンズ群と一体に移動することにより、前玉径が大きくなることを防ぐ効果がある。
【００１８】
○以上の作用の相乗効果により、安定した性能の大口径望遠レンズを構成するのが容易になる。
【００１９】
本発明の第２の望遠レンズは、第１の望遠レンズにおいて、前記第１レンズ群と前記第４レンズ群を前記フォーカシングに際し固定としたことを特徴とするものである。
【００２０】
上記本発明の第２の望遠レンズの構成をとった理由とその作用効果を説明すると、第１の望遠レンズの構成の場合、第１レンズ群と第４レンズ群を固定すると、フォーカシング時の全長が一定であり、埃の進入を低減しやすくなる。また、移動するレンズ群を２つに抑えつつ、収差変動を抑えたフォーカシングが可能となる。
【００２１】
本発明の第３の望遠レンズは、物体側から順に、正の屈折力を有する第１レンズ群と、第２レンズ群と、正の屈折力を有する第３レンズ群と、負の屈折力を有する第４レンズ群を有し、
明るさ絞りが前記第２レンズ群と前記第４レンズ群の間に配置され、
無限遠物点から至近距離物点へのフォーカシングに際し、各レンズ群同士の間隔が変化するように、前記第２レンズ群を光軸方向に移動させ、前記第３レンズ群を物体側に移動させ、以下の条件式を満足することを特徴とするものである。
【００２２】
０＜｜ΔＧ２／ΔＧ３｜＜０．３                              ・・・（１）
ただし、ΔＧ２は無限遠合焦時から撮影倍率−０．１５倍合焦時の間での第２レンズ群の        最大移動量、
ΔＧ３は無限遠合焦時から撮影倍率−０．１５倍合焦時の間での第３レンズ群の        最大移動量、
である。
【００２３】
以下に、上記本発明の第３の望遠レンズの構成をとった理由とその作用効果を説明する。
【００２４】
物体側から順に、正の屈折力を有する第１レンズ群と、第２レンズ群と、正の屈折力を有する第３レンズ群と、負の屈折力を有する第４レンズ群を有する望遠レンズで、
○明るさ絞りを第２レンズ群内又は第２レンズ群より物体側に配置すると、特に第３レンズ群と第４レンズ群の径が大きくなる。そのため、無限遠から近距離まで特にコマ収差を安定して小さくするのが難しくなる。また、射出光束が大きくなると、例えば、一眼レフレックスカメラのカメラボディ内で撮像素子とファインダー光学系の光路切り替え機構の構成が難しくなる。
【００２５】
○明るさ絞りを第４レンズ群に配置すると、前玉径が大きくなりやすくなる。また、撮像素子への入射角が大きくなりやすくなる。そのため、撮像素子がＣＣＤ等の電子撮像素子の場合、シェーディング等の問題への対応が難しくなる。
【００２６】
○条件式（１）の上限の０．３を越えると、第３レンズ群と第２レンズ群の合わせた移動量が大きくなり、光学系が大型し好ましくない。
【００２７】
○条件式（１）の下限の０を越えると、無限遠物点から至近距離物点まで安定したコマ収差の補正が困難になる。
【００２８】
なお、群の移動が往復移動の場合は、ΔＧ２、ΔＧ３は移動範囲内での最大移動量となる。
【００２９】
本発明の第４の望遠レンズは、第３の望遠レンズにおいて、条件式（１）に換えて以下の条件式（１）’を満足することを特徴とするものである。
【００３０】
０．０４＜｜ΔＧ２／ΔＧ３｜＜０．２                        ・・・（１）’  上記本発明の第４の望遠レンズの構成をとった理由とその作用効果を説明すると、この条件式（１）’は、より好ましい第２レンズ群、第３レンズ群の移動量比を規定したものである。
【００３１】
また、条件式（１）の下限を０．０４、さらには０．０５５としてもよい。
【００３２】
また、条件式（１）の上限を０．２、さらには０．１５としてもよい。
【００３３】
本発明の第５の望遠レンズは、第１の望遠レンズにおいて、以下の条件式を満足することを特徴とするものである。
【００３４】
０＜｜ΔＧ２／ΔＧ３｜＜０．３                              ・・・（１）
ただし、ΔＧ２は無限遠合焦時から撮影倍率−０．１５倍合焦時の間での第２レンズ群の        最大移動量、
ΔＧ３は無限遠合焦時から撮影倍率−０．１５倍合焦時の間での第３レンズ群の        最大移動量、
である。
【００３５】
上記本発明の第５の望遠レンズの構成をとった理由とその作用効果を説明すると、第３の望遠レンズについて説明したのと同様である。
【００３６】
また、条件式（１）の下限を０．０４、さらには０．０５５としてもよい。
【００３７】
また、条件式（１）の上限を０．２、さらには０．１５としてもよい。
【００３８】
本発明の第６の望遠レンズは、第１〜第５の望遠レンズにおいて、下記条件式を満足することを特徴とするものである。
【００３９】
−０. １＜ｆa ／ｆ2 ＜０．４                                  ・・・（２）
ただし、ｆa は無限遠合焦時の全系の焦点距離、
ｆ2 は第２レンズ群の焦点距離、
である。
【００４０】
上記本発明の第６の望遠レンズの構成をとった理由とその作用効果を説明すると、条件式（２）の上限の０．４を越えると、フォーカシング時の第３レンズ群への軸上光束の入射範囲が変化し、性能の維持が難しくなる。また、結果として第３レンズ群のパワーが弱くなり、フォーカシング時の移動量が増え、小型化の効果が小さくなる。条件式（２）の下限の−０．１を越えると、望遠比の確保が難しくなる。
【００４１】
本発明の第７の望遠レンズは、第６の望遠レンズにおいて、条件式（２）に換えて以下の条件式（２）’を満足することを特徴とするものである。
【００４２】
０＜ｆa ／ｆ2 ＜０．３                                        ・・・（２）’  上記本発明の第７の望遠レンズの構成をとった理由とその作用効果を説明すると、この条件式（２）’は、より好ましい第２レンズ群の焦点距離を規定したものである。
【００４３】
また、条件式（２）の下限を０、さらには０．０４としてもよい。
【００４４】
また、条件式（２）の上限を０．３、さらには０．２としてもよい。
【００４５】
本発明の第８の望遠レンズは、第１〜第７の望遠レンズにおいて、前記第２レンズ群は、物体側から順に正レンズＬ２１と負レンズＬ２２からなる接合レンズで構成されることを特徴するものである。
【００４６】
上記本発明の第８の望遠レンズの構成をとった理由とその作用効果を説明すると、第２レンズ群を薄く構成することにより、光学系全体の大きさをコンパクトにできる。これに加えて、接合レンズとし群内に空気レンズをなくすることにより、高次収差の発生を抑えることができる。又は、偏心精度やフォーカス時の収差変動を緩和することができ、フォーカシング時の収差のコントロールを行いやすくなる。
【００４７】
本発明の第９の望遠レンズは、第１〜第８の望遠レンズにおいて、前記第２レンズ群は、無限遠物点から至近距離物点へのフォーカシングに際し光軸上を像側に移動させることを特徴とするものである。
【００４８】
上記本発明の第９の望遠レンズの構成をとった理由とその作用効果を説明すると、第２レンズ群と第３レンズ群の間隔変化を大きくし、第１レンズ群と第２レンズ群の間隔の変化との差を大きくすることにより、コマ収差や倍率の色収差の補正を効率良く行うのに有利となる。
【００４９】
本発明の第１０の望遠レンズは、第１〜第９の望遠レンズにおいて、前記第１レンズ群は、物体側から順に、正レンズ成分Ｅ１１、正レンズ成分Ｅ１２、負レンズ成分Ｅ１３、正レンズ成分Ｅ１４からなり、光軸上において各レンズ成分間に空気間隔が配置されていることを特徴とするものである。
【００５０】
上記本発明の第１０の望遠レンズの構成をとった理由とその作用効果を説明すると、第１レンズ群は、正レンズ成分を３成分もつことにより、第１レンズ群に十分なパワーを持たせることができ、望遠比上有利にできる。そのことに加え、２つの正レンズ成分を物体側に配置することにより、撮影距離による結像性能の変化を小さくできる。これに続けて負レンズ成分、正レンズ成分を配置することにより、軸上色収差と軸外色収差をバランス良く補正することができる。
【００５１】
なお、ここで、１つのレンズ成分とは、空気にて挟まれるレンズ構成を一単位とする。つまり、単レンズ又は接合レンズを意味する。
【００５２】
本発明の第１１の望遠レンズは、第１０の望遠レンズにおいて、前記第１レンズ群は、物体側から順に、正レンズＬ１１、正レンズＬ１２、負レンズＬ１３、正レンズＬ１４からなり、各レンズは単レンズからなり、光軸上において各レンズ間に空気間隔が配置されていることを特徴とするものである。
【００５３】
上記本発明の第１１の望遠レンズの構成をとった理由とその作用効果を説明すると、これは、性能を確保し、かつ、構成枚数とコンパクト性を確保するためにバランスの取れた構成を規定するものである。
【００５４】
本発明の第１２の望遠レンズは、第１〜第１１の望遠レンズにおいて、前記第４レンズ群は、物体側から順に、像側に凹面を向けた負レンズＬ４１と物体側に凸面を向けた正レンズＬ４２からなり、前記負レンズＬ４１と前記正レンズＬ４２は単レンズからなり、光軸上において前記負レンズＬ４１と前記正レンズＬ４２の間に空気間隔を挟んで配置され、以下の条件式を満足することを特徴とするものである。
【００５５】
０．２＜Ｒ41r ／Ｒ42f ＜０．８                                ・・・（３）
ただし、Ｒ41r は負レンズＬ４１の像側の面の近軸曲率半径、
Ｒ42f は正レンズＬ４２の物体側の面の近軸曲率半径、
である。
【００５６】
上記本発明の第１２の望遠レンズの構成をとった理由とその作用効果を説明すると、条件式（３）の上限の０．８を越えると、主に球面収差とコマ収差のバランスが取り難くなる。条件式（３）の下限の０．２を越えると、主に像面湾曲とコマ収差のバランスが取り難くなる。
【００５７】
また、条件式（３）の下限を０．２７、さらには０．３３としてもよい。
【００５８】
また、条件式（３）の上限を０．６５、さらには０．５としてもよい。
【００５９】
本発明の第１３の望遠レンズは、第１〜第１２の望遠レンズにおいて、前記第３レンズ群は、物体側より順に、物体側に凸面を持つ正レンズＬ３１と像側に凹面を持つ負レンズＬ３２との接合レンズと、正レンズＬ３３から構成され、光軸上において前記接合レンズの負レンズＬ３２と前記正レンズＬ３３の間に空気間隔を挟み、以下の条件式を満足することを特徴とするものである。
【００６０】
０．５＜Ｒ32r ／Ｒ31f ＜１．５                                ・・・（４）
ただし、Ｒ32r は負レンズＬ３２の像側の面の近軸曲率半径、
Ｒ31f は正レンズＬ３１の物体側の面の近軸曲率半径、
である。
【００６１】
上記本発明の第１３の望遠レンズの構成をとった理由とその作用効果を説明すると、絞り近傍に位置する第３レンズ群を正レンズ、負レンズ、正レンズの順で構成することにより、少ないレンズ枚数で諸収差を補正することができ、好ましい。これに加え、物体側の正レンズＬ３１と負レンズＬ３２を接合し、条件式（４）を満足することにより、フォーカシング時の移動による主に球面収差とコマ収差の収差変動を抑えやすくなる。
【００６２】
また、条件式（４）の下限を０．６、さらには０．７としてもよい。
【００６３】
また、条件式（４）の上限を１．３、さらには１．１としてもよい。
【００６４】
本発明の第１４の望遠レンズは、第１〜第１３の望遠レンズにおいて、前記第１レンズ群が下記の条件式（５）を満足する複数の正レンズを有すること特徴とするものである。
【００６５】
νd ＞８０                                                    ・・・（５）
ただし、νd は第１レンズ群中の任意の正レンズのアッベ数である。
【００６６】
上記本発明の第１４の望遠レンズの構成をとった理由とその作用効果を説明すると、条件式（５）は、本発明の望遠レンズを構成する第１レンズ群中の正レンズの中の複数の正レンズのアッベ数を規定する条件式である。正の屈折力の第１レンズ群で発生した色収差は拡大されて像面での収差へ影響を及ぼす。そのため、第１レンズ群自体で十分な収差補正が必要となる。そこで、第１レンズ群中の複数の正レンズが条件式（５）を満足することが好ましい。このようにすると、色収差の発生を抑制することができる。条件式（５）の下限値の８０を下回ると、色収差の補正が難しくなる。
【００６７】
本発明の第１５の望遠レンズは、第１４の望遠レンズにおいて、前記条件式（５）を満足する正レンズの中、少なくとも１つの正レンズが以下の条件式（５−１）を満足することを特徴とするものである。
【００６８】
８５＞νd ＞８０                                          ・・・（５−１）
上記本発明の第１５の望遠レンズの構成をとった理由とその作用効果を説明すると、材質を安価にするため、好ましくは８５＞νd を満足するとよい。
【００６９】
本発明の第１６の望遠レンズは、第１４、第１５の望遠レンズにおいて、前記第１レンズ群における最も物体側のレンズが、以下の条件式（５−２）を満足するレンズであることを特徴とするものである。
【００７０】
νd11 ＜８０                                              ・・・（５−２）
ただし、νd11 は第１レンズ群の最も物体側のレンズのアッベ数である。
【００７１】
上記本発明の第１６の望遠レンズの構成をとった理由とその作用効果を説明すると、前述の条件式（５）を満足する材質は耐性が強くないものが多く、最も物体側に配置されるレンズは耐性の良い材質を選択するのが好ましい。そのため、条件式（５−２）を満足するとよい。
【００７２】
さらには、その条件式（５−２）の上限値を７５としてもよい。
【００７３】
本発明の第１７の望遠レンズは、第１〜第１６の望遠レンズにおいて、下記の条件式を満足することを特徴とするものである。
【００７４】
−０．５＞ｆ4 ／ｆa ＞−１．7                               ・・・（６）
ただし、ｆa は無限遠合焦時の全系の焦点距離、
ｆ4 は第４レンズ群の焦点距離、
である。
【００７５】
上記本発明の第１７の望遠レンズの構成をとった理由とその作用効果を説明すると、条件式（６）は、負の屈折力を有する第４レンズ群の焦点距離と光学系全体の焦点距離との比を規定する条件式である。条件式（６）の下限値の−１．７を下回ると、第４レンズ群の負の屈折力が弱くなり、像面湾曲の補正が難しくなる。一方、条件式（６）の上限値の−０．５を上回ると、第４レンズ群の負の屈折力が強くなり、光学系が偏心に対して弱くなり、製造が難しくなる。
【００７６】
さらには、条件式（６）の下限値を−１．６、さらには−１．５とするとより好ましい。また、その上限値を−０．７、さらには−１．０とするとより好ましい。
【００７７】
本発明の第１８の望遠レンズは、第１〜第１７の望遠レンズにおいて、以下の条件を満足することを特徴とするものである。
【００７８】
２°＜ω＜８°                                                ・・・（７）
ただし、ωは望遠レンズの撮像半画角である。
【００７９】
上記本発明の第１８の望遠レンズの構成をとった理由とその作用効果を説明すると、条件式（７）は、本発明の望遠レンズの効果が高くなる撮影半画角を規定するものである。
【００８０】
本発明の第１９の望遠レンズ装置は、第１〜第１８の望遠レンズを有し、前記望遠レンズをカメラ本体に着脱可能とするマウント部を備えていることを特徴とするものである。
【００８１】
上記本発明の第１９の望遠レンズ装置の構成をとった理由とその作用効果を説明すると、本発明の望遠レンズは、一眼レフレックスカメラや、高性能のビデオカメラに向いている。本発明の望遠レンズを一眼レフレックスカメラに使用する際は、上述の構成とするとよい。
【００８２】
また、上記した全ての構成は、本発明の以下の実施例に開示する通り、如何様に組み合わせても、より好ましい望遠レンズ、望遠レンズ装置を提供できる。
【００８３】
また、条件式（１）〜（７）は、下記の実施例の対応値に合わせて、その上限値、下限値を特定してもよい。
【発明の効果】
【００８４】
本発明によると、デジタルカメラに最適な高い解像力を維持しやすく、至近距離まで十分に性能が維持可能な望遠レンズを提供することができる。また、レンズ交換式のデジタルカメラに最適な望遠レンズ装置を提供することができる。さらには、大口径比若しくはインナーフォーカス式の望遠レンズ、望遠レンズ装置を提供することができる。
【発明を実施するための最良の形態】
【００８５】
以下に、本発明の望遠レンズの実施例１〜３について、図面を参照して説明する。実施例１〜３の無限遠物点合焦時（ａ）及び至近物点（１．２ｍ）合焦時（ｂ）の光軸に沿うレンズ断面図をそれぞれ図１〜図３に示す。各図中、Ｇ１は第１レンズ群、Ｇ２は第２レンズ群、Ｇ３は第３レンズ群、Ｓは明るさ絞り、Ｇ４は第４レンズ群、Ｉは像面であり、第４レンズ群Ｇ４と像面Ｉの間に配置されている３枚の平行平板は、物体側から順に、振動により埃を落とす平行平板（ダストリダクション）、ＩＲカットフィルターとローパスフィルターが一体になっている平行平板、ＣＣＤカバーガラスである。また、実施例１〜３の無限遠物点合焦時（ａ）及び至近物点（１．２ｍ）合焦時（ｂ）の球面収差（ＳＡ）、非点収差（ＡＳ）、歪曲収差（ＤＴ）、倍率色収差（ＣＣ）の収差図をそれぞれ図４、図６、図８に示す。さらに、実施例１〜３の無限遠物点合焦時（ａ）及び至近物点（１．２ｍ）合焦時（ｂ）の横収差（コマ収差）をそれぞれ図５、図７、図９に示す。なお、これら収差図中において、“ＦＩＹ”は像高を表す。
【００８６】
実施例１の望遠レンズは、図１に示すように、物体側から順に、正屈折力の第１レンズ群Ｇ１と、第２レンズ群Ｇ２と、正屈折力の第３レンズ群Ｇ３と、明るさ絞りＳと、負屈折力の第４レンズ群Ｇ４とで構成されており、無限遠距離から有限遠距離へのフォーカシングを行うとき、第１レンズ群Ｇ１と第４レンズ群Ｇ４は固定で、第２レンズ群Ｇ２を像側へのみ、第３レンズ群Ｇ３は明るさ絞りＳと一体で物体側へのみ移動させる。
【００８７】
各レンズ群の構成は、第１レンズ群Ｇ１は、両凸正レンズ、物体側に凸面を向けた正メニスカスレンズ、両凹負レンズ、両凸正レンズの４枚で構成され、第２レンズ群Ｇ２は、両凸正レンズと両凹負レンズの接合レンズの２枚で構成されている。第３レンズ群Ｇ３は、物体側に凸面を向けた正メニスカスレンズと物体側に凸面を向けた負メニスカスレンズの接合レンズ、物体側に凸面を向けた正メニスカスレンズの３枚で構成されている。第４レンズ群Ｇ４は、両凹負レンズ、両凸正レンズの２枚で構成されている。
【００８８】
この実施例においては、物体距離無限遠から至近距離の１２０ｍｍまで合焦可能である。
【００８９】
実施例２の望遠レンズは、図２に示すように、物体側から順に、正屈折力の第１レンズ群Ｇ１と、第２レンズ群Ｇ２と、明るさ絞りＳと、正屈折力の第３レンズ群Ｇ３と、負屈折力の第４レンズ群Ｇ４とで構成されており、無限遠距離から有限遠距離へのフォーカシングを行うとき、第１レンズ群Ｇ１と第４レンズ群Ｇ４は固定で、第２レンズ群Ｇ２を像側へのみ、第３レンズ群Ｇ３は明るさ絞りＳと一体で物体側へのみ移動させる。
【００９０】
各レンズ群の構成は、第１レンズ群Ｇ１は、両凸正レンズ、物体側に凸面を向けた正メニスカスレンズ、両凹負レンズ、両凸正レンズの４枚で構成され、第２レンズ群Ｇ２は、両凸正レンズと両凹負レンズの接合レンズの２枚で構成されている。第３レンズ群Ｇ３は、物体側に凸面を向けた正メニスカスレンズと物体側に凸面を向けた負メニスカスレンズの接合レンズ、物体側に凸面を向けた正メニスカスレンズの３枚で構成されている。第４レンズ群Ｇ４は、平凹負レンズ、両凸正レンズの２枚で構成されている。
【００９１】
この実施例においては、物体距離無限遠から至近距離の１２０ｍｍまで合焦可能である。
【００９２】
実施例３の望遠レンズは、図３に示すように、物体側から順に、正屈折力の第１レンズ群Ｇ１と、第２レンズ群Ｇ２と、明るさ絞りＳと、正屈折力の第３レンズ群Ｇ３と、負屈折力の第４レンズ群Ｇ４とで構成されており、無限遠距離から有限遠距離へのフォーカシングを行うとき、第１レンズ群Ｇ１と第４レンズ群Ｇ４は固定で、第２レンズ群Ｇ２を像側へのみ、第３レンズ群Ｇ３は明るさ絞りＳと一体で物体側へのみ移動させる。
【００９３】
各レンズ群の構成は、第１レンズ群Ｇ１は、両凸正レンズ、物体側に凸面を向けた正メニスカスレンズ、両凹負レンズ、両凸正レンズの４枚で構成され、第２レンズ群Ｇ２は、両凸正レンズと両凹負レンズの接合レンズの２枚で構成されている。第３レンズ群Ｇ３は、物体側に凸面を向けた正メニスカスレンズと物体側に凸面を向けた負メニスカスレンズの接合レンズ、物体側に凸面を向けた正メニスカスレンズの３枚で構成されている。第４レンズ群Ｇ４は、平凹負レンズ、両凸正レンズの２枚で構成されている。
【００９４】
この実施例においては、物体距離無限遠から至近距離の１２０ｍｍまで合焦可能である。
【００９５】
以下に、上記実施例１〜３の数値データを示すが、記号は上記の外、ｆは全系焦点距離、ＦNO. はＦナンバー、ωは半画角、βは横倍率、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。
【００９６】
実施例１
ｆ        ＝149.5mm 
ＦNO.     ＝  2.0 
ω        ＝  4.4 °
ｒ1 =   279.889             ｄ1 =  9.1200   ｎd1 =1.48749 νd1 =70.23 
ｒ2 =  -653.223             ｄ2 =  0.2000   
ｒ3 =    86.709             ｄ3 = 10.5300   ｎd2 =1.49700 νd2 =81.54 
ｒ4 =   672.762             ｄ4 =  3.0600   
ｒ5 =  -372.773             ｄ5 =  4.4600   ｎd3 =1.78472 νd3 =25.68 
ｒ6 =   115.609             ｄ6 =  7.8600   
ｒ7 =   103.086             ｄ7 = 11.7000   ｎd4 =1.43875 νd4 =94.93 
ｒ8 =  -247.813             ｄ8 = （可変）  
ｒ9 =    89.628             ｄ9 = 12.3000   ｎd5 =1.78472 νd5 =25.68 
ｒ10=  -137.907             ｄ10=  3.8500   ｎd6 =1.74400 νd6 =44.78 
ｒ11=    80.187             ｄ11= （可変）  
ｒ12=    36.976             ｄ12=  9.0000   ｎd7 =1.62280 νd7 =57.05 
ｒ13=   548.969             ｄ13=  5.1900   ｎd8 =1.71736 νd8 =29.52 
ｒ14=    30.722             ｄ14=  3.1000   
ｒ15=    55.913             ｄ15=  4.4000   ｎd9 =1.80518 νd9 =25.42 
ｒ16=   148.254             ｄ16=  3.6000   
ｒ17=     ∞（絞り）        ｄ17= （可変）  
ｒ18=  -672.762             ｄ18=  2.6000   ｎd10=1.60342 νd10=38.03 
ｒ19=    38.839             ｄ19=  7.3000   
ｒ20=   104.607             ｄ20=  4.2000   ｎd11=1.78800 νd11=47.37 
ｒ21=  -301.318             ｄ21= 39.1500   
ｒ22=     ∞                ｄ22=  0.6200   ｎd12=1.51633 νd12=64.14 
ｒ23=     ∞                ｄ23=  1.2100   
ｒ24=     ∞                ｄ24=  3.2500   ｎd13=1.54771 νd13=62.84 
ｒ25=     ∞                ｄ24=  0.1500   
ｒ26=     ∞                ｄ23=  0.7600   ｎd14=1.52310 νd14=54.49 
ｒ27=     ∞                ｄ24=  1.0600   
ｒ28=     ∞（像面）        
可変間隔
物体距離（倍率）    ∞          β=-0.15（至近物点1.2m合焦時）
ｄ8                  1.0000         3.7306
ｄ11                29.7593         8.5359
ｄ17                 2.5000        20.9928                                。
【００９７】
実施例２
ｆ        ＝148.2mm 
ＦNO.     ＝  2.0 
ω        ＝  4.4 °
ｒ1 =   227.338             ｄ1 =  9.1200   ｎd1 =1.48749 νd1 =70.23 
ｒ2 =  -672.762             ｄ2 =  0.2000   
ｒ3 =    88.310             ｄ3 = 10.5300   ｎd2 =1.49700 νd2 =81.54 
ｒ4 =   471.291             ｄ4 =  2.8500   
ｒ5 =  -541.763             ｄ5 =  4.4600   ｎd3 =1.78470 νd3 =26.29 
ｒ6 =    92.483             ｄ6 =  7.1200   
ｒ7 =    87.864             ｄ7 = 11.7000   ｎd4 =1.43875 νd4 =94.93 
ｒ8 =  -251.663             ｄ8 = （可変）  
ｒ9 =    69.845             ｄ9 = 12.3000   ｎd5 =1.78472 νd5 =25.68 
ｒ10=  -230.442             ｄ10=  3.8500   ｎd6 =1.74400 νd6 =44.78 
ｒ11=    63.847             ｄ11= （可変）  
ｒ12=     ∞（絞り）        ｄ12=  1.5000   
ｒ13=    36.069             ｄ13=  9.0000   ｎd7 =1.62280 νd7 =57.05 
ｒ14=   664.086             ｄ14=  5.1900   ｎd8 =1.71736 νd8 =29.52 
ｒ15=    29.630             ｄ15=  3.1000   
ｒ16=    52.530             ｄ16=  4.4000   ｎd9 =1.80518 νd9 =25.42 
ｒ17=   135.950             ｄ17= （可変）  
ｒ18=     ∞                ｄ18=  2.5000   ｎd10=1.60342 νd10=38.03 
ｒ19=    36.654             ｄ19=  9.5300   
ｒ20=    89.459             ｄ20=  4.2000   ｎd11=1.78800 νd11=47.37 
ｒ21=  -653.223             ｄ21=  4.3000   
ｒ22=     ∞                ｄ22=  0.6200   ｎd12=1.51633 νd12=64.14 
ｒ23=     ∞                ｄ23=  1.2100   
ｒ24=     ∞                ｄ24=  3.2500   ｎd13=1.54771 νd13=62.84 
ｒ25=     ∞                ｄ24=  0.1500   
ｒ26=     ∞                ｄ23=  0.7600   ｎd14=1.52310 νd14=54.49 
ｒ27=     ∞                ｄ24=  1.0600   
ｒ28=     ∞（像面）        
可変間隔
物体距離（倍率）    ∞          β=-0.15（至近物点1.2m合焦時）
ｄ8                  1.0000         2.2487
ｄ11                29.5600        10.3563
ｄ17                 2.7000        20.6469                                。
【００９８】
実施例３
ｆ        ＝152.0mm 
ＦNO.     ＝  2.0 
ω        ＝  4.3 °
ｒ1 =   205.554             ｄ1 =  9.1200   ｎd1 =1.48749 νd1 =70.23 
ｒ2 =  -672.762             ｄ2 =  0.2000   
ｒ3 =    84.508             ｄ3 = 10.5300   ｎd2 =1.49700 νd2 =81.54 
ｒ4 =   367.236             ｄ4 =  3.2000   
ｒ5 =  -541.763             ｄ5 =  4.4600   ｎd3 =1.78470 νd3 =26.29 
ｒ6 =    91.865             ｄ6 =  6.6200   
ｒ7 =    88.062             ｄ7 = 11.7000   ｎd4 =1.43875 νd4 =94.93 
ｒ8 =  -235.972             ｄ8 = （可変）  
ｒ9 =    71.162             ｄ9 = 12.1700   ｎd5 =1.78472 νd5 =25.68 
ｒ10=  -189.493             ｄ10=  3.9700   ｎd6 =1.74400 νd6 =44.78 
ｒ11=    62.734             ｄ11= （可変）  
ｒ12=     ∞（絞り）        ｄ12=  1.5000   
ｒ13=    35.645             ｄ13=  8.5000   ｎd7 =1.62280 νd7 =57.05 
ｒ14=   664.086             ｄ14=  5.1900   ｎd8 =1.71736 νd8 =29.52 
ｒ15=    29.582             ｄ15=  3.0900   
ｒ16=    52.802             ｄ16=  4.1800   ｎd9 =1.80518 νd9 =25.42 
ｒ17=   140.386             ｄ17= （可変）  
ｒ18=     ∞                ｄ18=  2.5000   ｎd10=1.60342 νd10=38.03 
ｒ19=    37.142             ｄ19= 10.5100   
ｒ20=    95.572             ｄ20=  4.2000   ｎd11=1.78800 νd11=47.37 
ｒ21=  -653.223             ｄ21= 37.4700   
ｒ22=     ∞                ｄ22=  0.6200   ｎd12=1.51633 νd12=64.14 
ｒ23=     ∞                ｄ23=  1.2100   
ｒ24=     ∞                ｄ24=  3.2500   ｎd13=1.54771 νd13=62.84 
ｒ25=     ∞                ｄ24=  0.1500   
ｒ26=     ∞                ｄ23=  0.7600   ｎd14=1.52310 νd14=54.49 
ｒ27=     ∞                ｄ24=  1.0600   
ｒ28=     ∞（像面）        
可変間隔
物体距離（倍率）    ∞          β=-0.15（至近物点1.2m合焦時）
ｄ8                  1.2000         2.5000
ｄ11                29.6899        10.4399
ｄ17                 2.6800        20.6300                                。
【００９９】
上記実施例１〜３の条件式（１）〜（６）の値は次の通りである。
【０１００】
条件式    実施例１  実施例２  実施例３
（１）       0.15      0.07      0.07 
（２）       0.07      0.14      0.09 
（３）       0.37      0.41      0.39 
（４）       0.83      0.82      0.83 
（５）      94.93     94.93     94.93 
81.54     81.54     81.54 
（６）      -1.33     -1.39     -1.27                                     。
【０１０１】
図１０は、本発明の望遠レンズを用い、撮像素子として小型のＣＣＤ又はＣ−ＭＯＳ等を用いた一眼レフレックスカメラの断面図である。図１０において、１は一眼レフレックスカメラ、２は合焦機構を備えた鏡筒内に配置された撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
【０１０２】
また、４は撮像素子面、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。
【０１０３】
このような構成の一眼レフレックスカメラ１の撮影レンズ系２として、例えば上記実施例１〜３に示した本発明の望遠レンズが用いられる。
【図面の簡単な説明】
【０１０４】
【図１】本発明の実施例１の望遠レンズの無限遠物点合焦時（ａ）及び至近物点（１．２ｍ）合焦時（ｂ）の光軸に沿うレンズ断面図である。
【図２】本発明の実施例２の望遠レンズの図１と同様の図である。
【図３】本発明の実施例３の望遠レンズの図１と同様の図である。
【図４】実施例１の無限遠物点合焦時（ａ）及び至近物点合焦時（ｂ）の球面収差、非点収差、歪曲収差、倍率色収差の収差図である。
【図５】実施例１の無限遠物点合焦時（ａ）及び至近物点合焦時（ｂ）の横収差（コマ収差）を示す収差図である。
【図６】実施例２の図４と同様の図である。
【図７】実施例２の図５と同様の図である。
【図８】実施例３の図４と同様の図である。
【図９】実施例３の図５と同様の図である。
【図１０】本発明の望遠レンズを用いた一眼レフレックスカメラの断面図である。
【符号の説明】
【０１０５】
Ｇ１…第１レンズ群
Ｇ２…第２レンズ群
Ｇ３…第３レンズ群
Ｇ４…第４レンズ群
Ｓ…明るさ絞り
Ｉ…像面
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2005283719.tif 000003
【図２】
2005283719.tif 000004
【図３】
2005283719.tif 000005
【図４】
2005283719.tif 000006
【図５】
2005283719.tif 000007
【図６】
2005283719.tif 000008
【図７】
2005283719.tif 000009
【図８】
2005283719.tif 000010
【図９】
2005283719.tif 000011
【図１０】
2005283719.tif 000012
【手続補正書】
【提出日】平成16年4月20日(2004.4.20)
【手続補正１】
【補正対象書類名】明細書
【補正対象項目名】００８８
【補正方法】変更
【補正の内容】
【００８８】
この実施例においては、物体距離無限遠から至近距離の１２０ｃｍまで合焦可能である。
【手続補正２】
【補正対象書類名】明細書
【補正対象項目名】００９１
【補正方法】変更
【補正の内容】
【００９１】
この実施例においては、物体距離無限遠から至近距離の１２０ｃｍまで合焦可能である。
【手続補正３】
【補正対象書類名】明細書
【補正対象項目名】００９４
【補正方法】変更
【補正の内容】
【００９４】
この実施例においては、物体距離無限遠から至近距離の１２０ｃｍまで合焦可能である。